(57)【要約】【課題】薄型化された表示パネルの強度劣化の問題を改善することのできる構成を備えた表示パネルを提供すること。【解決手段】相互に対向させて配設された一対の透明基板２、３および前記各透明基板２、３の内面において表示領域を囲むように矩形状に配置されたシール材を有する表示セル１と、前記表示セル１における少なくとも一方の透明基板２、３の外面に前記表示領域に対応させて配設された透明フィルム状部材５、６とを備える表示パネルにおいて、前記透明基板２、３の外面における外周縁の内側に、底面を平面状とされた凹部７、８を前記表示領域に対応させて形成し、前記透明フィルム状部材５、６を前記凹部７、８の底面に貼設する。【選択図】図２
2008058373.tif 000002
【特許請求の範囲】
【請求項１】
相互に対向させて配設された一対の透明基板および前記各透明基板の内面において表示領域を囲むように矩形状に配置されたシール材を有する表示セルと、前記表示セルにおける少なくとも一方の透明基板の外面に前記表示領域に対応させて配設された透明フィルム状部材とを備える表示パネルにおいて、
前記透明基板の外面における外周縁の内側には、底面を平面状とされた凹部が前記表示領域に対応して形成されており、前記透明フィルム状部材は前記凹部の底面に貼設されていることを特徴とする表示パネル。
【請求項２】
前記凹部は前記透明フィルム状部材の厚さ寸法と同じ深さ寸法に形成されている請求項１に記載の表示パネル。
【発明の詳細な説明】
【技術分野】
【０００１】
本発明は表示パネルに係り、特に、薄型化が図られた表示パネルに関する。
【背景技術】
【０００２】
従来より、例えば、一対の透明基板の対向する面に設けられた複数の電極に選択的に電圧を印加することにより、両透明基板の間隙に封入された液晶を駆動させて文字等の画像の表示を行う液晶表示パネル等の表示パネルが、コンピュータや携帯電話等の表示手段として多用されている。
【０００３】
図３および図４は、一般的な液晶表示パネルの構成を概略説明するための平面図および断面図である。
【０００４】
前記液晶表示パネルは、液晶表示セル１とその液晶表示セル１に貼設された一対の偏光板５、６とからなる。
【０００５】
前述の従来例において、液晶表示セル１を構成する一対の透明基板２、３は透明なガラス基板が略矩形の平板状に形成されており、背面側に配設される透明基板３の一端辺部分は、視認側に配設される透明基板２の端縁より突出するように延出形成されており、外部接続基板４が接続される電極端子部３ａとされている。
【０００６】
前記各透明基板２、３の互いに対向する内面には、例えば、インジウム錫酸化物（以下、ＩＴＯという）等からなる表示用の透明電極（図示せず）が積層形成されている。そして、前記透明電極が形成された透明基板２、３の表面には、互いに対向する電極間で液晶分子を一定の形態に配列させるために表面にラビング処理が施された配向膜（図示せず）が積層形成されている。そして、一対の透明基板２、３の対向面間の周囲には、前記両透明基板２、３を貼り合わせて一体化するための略矩形枠状のシール材（図示せず）が配設されており、前記枠状シール材により囲まれた面内には、各透明基板２、３の間隙寸法を調整するためのスペーサ（図示せず）とともに液晶（図示せず）が封入され、前記一対の透明基板２、３の対向面間に液晶層（図示せず）が形成されている。この液晶層に対向する部分は当該液晶表示パネルの表示領域を構成することとなる。
【０００７】
そして、前記液晶表示セル１の各透明基板２、３の外面側における表示領域に対応する領域には一対の偏光板５、６が貼着されて配設されている（例えば、特許文献１）。
【０００８】
【特許文献１】特開２００３−２５５３２７号公報
【発明の開示】
【発明が解決しようとする課題】
【０００９】
ところで、近年、液晶表示パネルは薄型化するにあたり、透明基板のニーズがより一層高まっている。そのため、例えば、前記透明基板２、３としてガラス基板を用いる場合には、透明基板２、３の外面をフッ化水素酸（以下、フッ酸という）を用いて腐食させ、エッチングすることで薄型化を図る処理（以下、フッ酸湿式処理という）がなされている。
【００１０】
例えば、前記液晶表示セル１は、０．５ｍｍ厚とされた透明基板２、３をシール材を介して貼り合わせられ液晶が注入された状態で、前記透明基板２、３に対してフッ酸湿式処理が施され、各透明基板２、３の厚さ寸法を０．３ｍｍにまで薄型化されている。そして、液晶表示セル１の各透明基板２、３の両外面に０．２ｍｍ厚の偏光板５、６を貼設することで、前記フッ酸湿式処理が施されない場合に比して、総厚で０．４ｍｍも薄型化された、総厚１．０ｍｍの液晶表示パネルとされている。
【００１１】
ところが、透明基板を薄型化した液晶表示パネルは自ずと強度が低下するという問題点を有するものであった。
【００１２】
これらの点に鑑みて、本願発明は、薄型化された表示パネルの強度劣化の問題を改善することのできる構成を備えた表示パネルを提供することを目的とする。
【課題を解決するための手段】
【００１３】
前述した目的を達成するため、本発明に係る表示パネルの特徴は、相互に対向させて配設された一対の透明基板および前記各透明基板の内面において表示領域を囲むように矩形状に配置されたシール材を有する表示セルと、前記表示セルにおける少なくとも一方の透明基板の外面に前記表示領域に対応させて配設された透明フィルム状部材とを備える表示パネルにおいて、前記透明基板の外面における外周縁の内側には、底面を平面状とされた凹部が前記表示領域に対応して形成されており、前記透明フィルム状部材は前記凹部の底面に貼設されている点にある。
【００１４】
本発明の表示パネルによれば、少なくとも一方の透明基板の外面に偏光板等の透明フィルム部材を底面に貼設可能な凹部を形成し、前記凹部に透明フィルム部材を貼設することで、透明基板の表面より突出する透明フィルム部材の厚さ寸法分の薄型化を図ることができる。そして、このような構成とされた表示パネルは、透明基板からなり、前記凹部の外周に配置される透明基板の外周縁部分が補強用のリブとして機能することで、表示パネルの強度を補強することが可能となる。
【００１５】
具体的には、前記凹部は前記透明フィルム部材の厚さ寸法と同じ深さ寸法に形成されていることが強度補強と薄型化との関係から望ましい。
【発明の効果】
【００１６】
本発明の表示パネルによれば、薄型化された表示パネルの強度劣化を改善することができる等の優れた効果を奏する。
【発明を実施するための最良の形態】
【００１７】
本発明の表示パネルについて、図１および図２を用いて説明する。
【００１８】
図１は、本実施形態の液晶表示パネルにおける要部平面図であり、図２は、そのＡ−Ａ断面図である。なお、以下では、本実施形態の液晶表示パネルについて、前述の従来の液晶表示パネルの構成との相違点のみを説明する。なお、前記従来の液晶表示パネルの説明で用いた部材については同一の符号を付す。
【００１９】
本実施形態の液晶表示パネルは、液晶表示セル１を構成する前記透明基板２、３としてガラス基板が用いられており、前記透明基板２、３の外面における外周縁の内側には、それぞれ底面を平面状とされた凹部７、８が前記表示領域に対応させて形成されている。前記凹部７、８は、透明基板２、３の表面をフッ酸湿式処理やサンドブラスト法により、透明フィルム状部材である偏光板５、６の厚さ寸法と同じ深さ寸法に形成されている。そして、前記凹部７、８には、透明フィルム状部材である前記偏光板５、６がその底面に対し、それぞれ貼設されている。
【００２０】
透明フィルム状部材としては、光学フィルムである偏光板、位相差板、カラーフィルタまたはＩＴＯヒータなどが例示できる。本発明は光学フィルム、特に偏光板に対して好適に適用される。
【００２１】
具体的には、図２に示すように、前記液晶表示パネルの液晶表示セル１は、０．５ｍｍ厚とされた透明基板２、３を枠状シール材を介して貼り合わせられ、液晶が注入された状態で、フッ酸湿式処理により、各透明基板２、３の外面に深さ寸法を０．２ｍｍとする凹部７、８が形成されている。このことは、換言すれば、前記凹部７、８に対応する透明基板２、３は０．３ｍｍ厚とされ、前記凹部７、８の周囲に形成されるリブ９、１０部分の前記凹部７、８の底部からの高さ寸法が０．２ｍｍ厚とされていることになる。
【００２２】
そして、液晶表示セル１の各透明基板２、３の両外面に形成された凹部７、８の底面に０．２ｍｍ厚の偏光板５、６が貼設され、総厚１．０ｍｍの薄型化された液晶表示パネルとされている。
【００２３】
このように、本実施形態の液晶表示パネルは、一対の透明基板２、３の外面に偏光板５、６をその底面に貼設可能な凹部７、８を形成することで、透明基板２、３の外面より突出する偏光板５、６の厚さ寸法分の薄型化を図ることができる。
【００２４】
そして、前記凹部７、８の外周に配置される透明基板２、３の外周縁部分が補強用のリブ９、１０として作用することで、液晶表示パネルの基板の強度を補強することが可能となる。
【００２５】
よって、本実施形態のように、凹部７、８の深さ寸法を、その凹部７、８に貼設される偏光板５、６の厚さ寸法と等しく形成することが強度補強と薄型化との関係から最も効率的であり、望ましい。
【００２６】
本発明は、前述した実施の形態に限定されるものではなく、必要に応じて種々の変更が可能である。
【００２７】
前述した実施形態では、表示パネルとして液晶表示パネルを例示したが、有機ＬＥＤ表示パネルであってもよい。また、凹部は少なくとも一方の透明基板の外面に形成されていればよいが、薄型化に対しては、前記実施形態のように両方の透明基板ともに凹部を形成することが好ましい。
【図面の簡単な説明】
【００２８】
【図１】本発明の実施形態の液晶表示パネルにおける概略平面図
【図２】図１の液晶表示パネルのＡ−Ａ断面図
【図３】従来の一般的な液晶表示パネルにおける概略平面図
【図４】図３の液晶表示パネルのＢ−Ｂ断面図
【符号の説明】
【００２９】
１  液晶表示セル
２  透明基板
３  透明基板
３ａ  電極端子部
４  外部接続基板
５  偏光板  
６  偏光板
７  凹部
８  凹部
９  リブ
１０  リブ
【図１】
2008058373.tif 000003
【図２】
2008058373.tif 000004
【図３】
2008058373.tif 000005
【図４】
2008058373.tif 000006